(57)【特許請求の範囲】
【請求項１】
第１の横木および第２の横木と、左リンクアセンブリと、右リンクアセンブリと、および第１の継手を備えるアジリティラダーであって、
前記左リンクアセンブリは、前記第１の横木および前記第２の横木の左端に枢動可能に取り付けられた端部を有し、
前記右リンクアセンブリは、前記第１の横木および前記第２の横木の右端に枢動可能に取り付けられた端部を有し、
前記左リンクアセンブリおよび前記右リンクアセンブリは、それぞれ等しい長さを有する第１のリンクおよび第２のリンクを含み、前記第１のリンクおよび前記第２のリンクは、リンクピボットジョイントで接合され、前記リンクピボットジョイントは前記第１のリンクと前記第２のリンクとの間の角度を１７９度以下に制限し、かつ
前記第１の継手は、前記第１の横木の左端上に配置されるか、または前記アジリティラダーの第１の横木の右端上に配置され、前記第１の継手は第２のアジリティラダー上に配置される第２の継手と連携するように構造的に構成され、少なくとも２つのアジリティラダーの接続および並列使用を有効にし、
前記第２の継手は、前記第１の継手から前記第２のアジリティラダーの第１の横木の反対端上に配置される、
アジリティラダー。
【請求項２】
前記第１の横木および第２の横木は、実質的に前記左リンクアセンブリおよび前記右リンクアセンブリのみにより互いに取り付けられる、請求項１に記載のアジリティラダー。
【請求項３】
前記第１の横木は、前記第１のリンクの前記長さの２倍を超える長さを有する、請求項１に記載のアジリティラダー。
【請求項４】
前記第１の横木および前記第２の横木は実質的に同一である、請求項３に記載のアジリティラダー。
【請求項５】
前記第１のリンクは前記第２のリンク内の弓形スロットの中に延在する弓形突起を有する、請求項１に記載のアジリティラダー。
【請求項６】
前記左リンクアセンブリおよび前記右リンクアセンブリは、前記横木が互いに向かって移動する際に互いに向かって内方に枢動する、請求項４に記載のアジリティラダー。
【請求項７】
前記左リンクアセンブリの前記第１のリンクは、前記第１の横木および前記左リンクアセンブリの前記第２のリンクのみに取り付けられ、前記左リンクアセンブリの前記第２のリンクは、前記第２の横木および前記左リンクアセンブリの前記第１のリンクのみに取り付けられる、請求項６に記載のアジリティラダー。
【請求項８】
前記右リンクアセンブリの前記第１のリンクは、前記第１の横木および前記右リンクアセンブリの前記第２のリンクのみに取り付けられ、前記右リンクアセンブリの前記第２のリンクは、前記第２の横木および前記右リンクアセンブリの前記第１のリンクのみに取り付けられる、請求項７に記載のアジリティラダー。
【請求項９】
前記横木は、前記横木が離間した開姿勢から、前記横木が実質的に互いに接触する潰れ姿勢に移動可能である、請求項１に記載のアジリティラダー。
【請求項１０】
前記第１の継手は、各横木の前記左端に配置され、かつ
前記アジリティラダーは、各横木の前記右端に配置される前記第２の継手を更に備え、かつ前記第１の継手と前記第２の継手は、相補的である、
請求項１に記載のアジリティラダー。
【請求項１１】
第１および第２の横木と、第１の左リンクと、第２の左リンクと、左弓形突起と、第１の右リンクと、第２の右リンクと、右弓形突起とおよび第１の継手を備えるアジリティラダーであって、
前記第１の横木および第２の横木は、それぞれが長さＬ１を有し、
前記第１の左リンクは、前記第１の横木の左端に枢動可能に取り付けられた外端を有し、
前記第２の左リンクは、前記第２の横木の左端に枢動可能に取り付けられた外端を有し、かつ前記第２の左リンクは、左リンクピボットジョイントにおいて前記第１の左リンクの内端に枢動可能に取り付けられた内端を有し、
前記左弓形突起は、前記第２の左リンク内の左弓形スロットの中に突出する前記第１の左リンク上に存在し、
前記第１の右リンクは、前記第１の横木の右端に枢動可能に取り付けられた外端を有し、
前記第２の右リンクは、前記第２の横木の右端に枢動可能に取り付けられた外端を有し、かつ前記第２の右リンクは、右リンクピボットジョイントにおいて前記第１の右リンクの内端に枢動可能に取り付けられた内端を有し、
前記右弓形突起は、前記第２の右リンク内の右弓形スロットの中に突出する前記第１の右リンク上に存在し、全ての前記リンクは、長さＬ２を有し、かつＬ２はＬ１の２分の１未満であり、かつ
前記第１の継手は、前記第１の横木の左端上に配置されるか、または前記アジリティラダーの前記第１の横木の右端上に配置され、前記第１の継手は、第２のアジリティラダー上に配置される第２の継手と連携するように構造的に構成され、少なくとも２つのアジリティラダーの接続および並列使用を有効にし、
前記第２の継手は、前記第１の継手から前記第２のアジリティラダーの第１の横木の反対端上に配置される、
アジリティラダー。
【請求項１２】
前記左弓形スロットの中に突出する前記左弓形突起は、前記第１の左リンクが前記第２の左リンクに平行であり、かつ前記第２の左リンクの上にない位置に、前記第１の左リンクが移動することを防止する、請求項１１に記載のアジリティラダー。
【請求項１３】
前記第１の継手は、バーを備え、前記第２の継手は、前記バーを受けるように構造的に構成されたフックを備える、請求項１に記載のアジリティラダー。
【請求項１４】
前記第１の継手は、１つ以上のスナップ、ピン又は連結タブを備える、
請求項１に記載のアジリティラダー。
【請求項１５】
前記第１の横木および第２の横木は、底面上の畝部の間に配置される実質的に平坦な底面部をそれぞれ備える、
請求項１に記載のアジリティラダー。
【請求項１６】
１つ以上の前記左リンクアセンブリまたは前記右リンクアセンブリは、内方に提供されて三角形を形成することができ、前記三角形は、前記第１および第２の横木により三角形の２つの側面を備える、
請求項１に記載のアジリティラダー。
【請求項１７】
左リンクアセンブリまたは右リンクアセンブリは、互いに独立して作用を提供する、
請求項１に記載のアジリティラダー。
【請求項１８】
前記第１の継手は、バーを備え、かつ前記第２の継手は、前記バーを受けるように構造的に構成されたフックを備える、
請求項１１に記載のアジリティラダー。
【請求項１９】
第１および第２の横木と、左リンクアセンブリと、右リンクアセンブリと、および継手を備えるアジリティラダーであって、
前記第１および第２の横木は、底面上の畝部の間に配置される実質的に平坦な底面部をそれぞれ備え、
前記左リンクアセンブリは、前記第１および第２の横木の左端と枢動可能に取り付けられた端部を有し、
前記右リンクアセンブリは、前記第１および第２の横木の右端と枢動可能に取り付けられた端部を有し、
前記左リンクアセンブリおよび右リンクアセンブリは、等しい長さを有する第１のリンクおよび第２のリンクを備え、前記第１のリンクおよび第２のリンクは、リンクピボットジョイントで接合され、前記リンクピボットジョイントは、前記第１のリンクおよび第２のリンクとの間の角度を１７９度以下に制限し、かつ
前記継手は、前記アジリティラダーの左側または右側に配置され、前記継手は、前記第２のアジリティラダーの反対側に配置される第２の継手と連携するように構造的に構成して、少なくとも２つのアジリティラダーの接続および並列使用を有効にする、
アジリティラダー。
【発明の詳細な説明】
【背景技術】
【０００１】
アジリティラダーは速度および敏捷性を向上させるために使用される。概してアジリティラダーは、ウェビングの左側および右側のストリップに取り付けられた側面の横木を有する。横木の多くはプラスチックチューブ、棒、またはストリップである。地上に広げる、すなわち配置すると、アジリティラダーは開いた箱型または空間の列を形成する。特定のトレーニングエクササイズに応じて、使用者の目的は足位置の所定のパターンを使用してラダーを通して走ること、ジャンプすること、またはホップすることである。これらのタイプのアジリティラダーは利点を有するが、欠点も伴う。例えば、ウェビングは絡まる可能性があり、設置の遅れが発生する。またこれらのタイプのアジリティラダーの横木は、使用者の足により容易に動かされ、使用中に頻繁に調整を必要とする。そこで設計の改善が必要とされる。
【発明の概要】
【０００２】
一態様では、アジリティラダーは複数の横木を有する。左リンクアセンブリは第１の横木および第２の横木の左端に枢動可能に取り付けられた端部を有し、右リンクアセンブリは第１の横木および第２の横木の右端に枢動可能に取り付けられた端部を有する。左リンクアセンブリおよび右リンクアセンブリは、それぞれリンクピボットジョイントで接合された第１のリンクおよび第２のリンクを含み、リンクピボットジョイントはリンクを中心位置の下に保つので、ラダーが展開されたときにリンクは厳密に平行にはならない。
【０００３】
図面内で同じ参照番号はそれぞれの図において同じ要素を示す。
【図面の簡単な説明】
【０００４】
【図１】展開姿勢にあり使用可能であるアジリティラダーの上部斜視図である。
【図２】図１に示されたアジリティラダーの平面図である。
【図３】図１に示された展開姿勢と折畳姿勢または潰れ姿勢との間の中間姿勢における、図１のアジリティラダーの平面図である。
【図４】図３に示された際のアジリティラダーの底面図である。
【図５】折畳姿勢に示されない図１〜図４のアジリティラダーの平面図である。
【図６】図５に示された際のアジリティラダーの底面図である。
【図７】展開姿勢におけるアジリティラダーの拡大底面斜視図である。
【図８】横木ピボットジョイントの拡大底面斜視図である。
【図９】図８に示されたアジリティラダーの一部の左側面斜視図である。
【図１０】図８に示されたアジリティラダーの一部の右側面斜視図である。
【図１１】リンクピボットジョイントの底面斜視図である。
【図１２】図１１に示されたリンクピボットジョイントの平面図である。
【発明を実施するための形態】
【０００５】
図１〜図４に示されるように、アジリティラダー２０は、折畳式の縦リンクアセンブリ２８を介して枢動可能に連結された側面の横木２２を含む。各リンクアセンブリ２８は２つのリンク２４を含み、リンクの内端２５はリンクピボットジョイント３２で互いに接合され、各リンクの外端２７は横木ピボットジョイント３０を介して横木２２に接合される。横木２２はすべて同一であってもよく、通常は長さ３０ｃｍ〜１００ｃｍ、幅４ｃｍ〜１０ｃｍである。
【０００６】
横木２２を地上に平坦に据えるように、横木２２は平坦な底面を有してもよい。図７を参照すると、実質的に横木２２の全長は連続して平坦であってもよく、または横木２２は１つもしくは複数の中実の平坦な底面部４０および畝部４４および凹部４６を有してもよい。横木がプラスチック材料から作成される場合、これらの特徴は製造中に横木に成形されてもよい。各横木の底面は共通面に据えられてもよい。
【０００７】
図７〜図１０を見ると、隣接したリンク２４の外端２７は横木ピボットジョイント３０を介して横木の左端および右端において横木２２の底面上に枢動可能に取り付けられている。示された例では横木ピボットジョイント３０は、リンクの外端内の穴を通って突出するピボットポスト６０を横木上に有してもよく、ポスト頭部６４はリンクをピボットポスト６０上に保持し、任意にはそれらの間にワッシャー６２を備える。図８に示されるように、横木２２の底面が凹部４６を有する場合、１つまたは複数の畝部４４は凹部の間に提供され、横木２２の縁部４８に平行であってもよい。縁部４８は使用者の足を妨害するのをうまく回避するために丸みまたは傾斜をつけてもよい。図５は縁部４８に傾斜をつけた場合の設計を示す。横木の上面は平坦であっても、または湾曲していてもよい。
【０００８】
さらに図８を参照すると、横木２２の左端および右端は、中実の端部ブロック５６がピボットポスト６０を良好に支持するように形成されてもよい。図７〜図１０に示されるように、リンク２４の内端および外端は丸みをつけるか、または面取りされてもよい。図８〜図１０に示されるように、第１の継手３４は横木の右端上に提供されてもよく、第２の相補型継手３６は横木２２の左端上に提供されてもよい。継手は相補的であり、互いに係合するか、または食い込むように設計されている。示された例では、継手はそれぞれフックおよびバーである。２つ以上のアジリティラダー２０が２つ以上の列を形成するために並べて使用される場合、継手により隣接したラダー２０を互いに取り付けることができる。当然のことながら、例えば、スナップ、ピン、連結タブなどの様々な他のタイプの継手を同等に使用してもよい。
【０００９】
図１１および図１２を見ると、リンクピボットジョイント３２は、リンクアセンブリ２８が図３に示されるように内方のみに折り畳むことができ、外方には折り畳むことができないように設計されている。またリンクピボットジョイント３２は、リンクアセンブリ２８の２つのリンク２４を１８０度未満の角度に維持するように設計されている。概して、リンク２４の間の角度は約１６５度〜１７５度に制限され、最高で１７９度に制限される。それゆえ、アジリティラダーの完全な展開姿勢では、例示目的に図７に誇張して示されるように、リンク間にわずかな角度が依然として存在する。
【００１０】
各リンクピボットジョイント３２では両方のリンクが自由に枢動でき、各横木ピボットジョイント３０では各リンクおよび横木が自由に枢動できる。それゆえ、あらゆるリンクまたは横木の枢動は、いかなる他のリンクまたは横木にもトルクを伝達しない。すべてのリンクは同じ長さを有してもよく、また同じ部品であってもよい。概して、リンクの長さは、横木の長さの４０％または４５％〜４８％または４９％であってもよい。リンクを長くすると、横木の間の間隔の範囲を増すことが可能になる。リンクおよび横木は、厚さ２ｍｍ〜５ｍｍのプラスチックなどの弾性の可撓性材料であってもよい。
【００１１】
示された例では、リンクピボットジョイント３２は、第２の、すなわち下にあるリンク内の穴を通って延在するピボットピン７２を、第１の、すなわち上にあるリンク上に含んでもよく、ピン頭部７４は第２のリンクをピボットピン７２上に保持し、第１のリンクと第２のリンクとの間にピボット連結を形成する。リンクピボットジョイントの動きを１７９度以下に制限するために、第１のリンク上の湾曲した突起７８は第２のリンク内の弓形スロット７６の中に突出してもよく、突起７８は移動の制限において弓形スロット７６の端部で低位置になる。
【００１２】
使用時にアジリティラダー２０は、図５および図６に示された折畳姿勢で格納または運搬されてもよい。この姿勢では横木は互いに接触してもよく、または最小限のみ離間されてもよい。アジリティラダー２０の長さは、折り畳まれたときに各横木が組み合わされた幅の合計である。ほとんどの設計ではアジリティラダー２０は、４個〜１０個の横木を有し、５個、６個または７個の横木を有する設計が最も多く使用される。図１〜図３のような６個の横木を有し、横木の幅が５ｃｍであるアジリティラダーでは、アジリティラダー２０の長さは折畳姿勢では３０ｃｍである。アジリティラダーの厚さまたは高さは、約６ｍｍ〜２０ｍｍの範囲であってもよい。アジリティラダーの幅は横木２２の長さである。折畳姿勢にある結果として、アジリティラダーは非常に小型である。図６に示されるように、折畳姿勢ではリンク２４の内端は最小限、例えば１ｍｍ〜１０ｍｍほど離間されてもよい。
【００１３】
アジリティラダー２０は、端部横木２２を互いから引き離すことによって展開されてもよい。各リンクアセンブリはその他のリンクアセンブリから独立して作用する。それゆえ、ラダーは任意に湾曲面上に展開されてもよく、横木は平行であるよりむしろ弓形の角度をなす。この構成ではラダーは非平行四辺形状の空間を形成してもよい。例えば、図７に破線で示されるように、隣接した横木の間に三角形が形成されてもよい。加えて、あらゆる隣接した横木はそれらの間に空間が形成されない状態のままであってもよく、隣接しない横木は四角形または他の形状を形成してもよい。任意に支柱を使用してラダーを地上に固定してもよい。
【００１４】
ラダーは、任意に図３に示されるように不完全な展開姿勢で使用され、より小さい足の目標空間を提供してもよい。ラダーは、端部横木を互いに向かって押すことによって再度折り畳まれてもよい。ラダーが折り畳まれた、または潰れたときにリンクアセンブリ２８を内方に折り畳むように、リンクピボットジョイント３２はリンクアセンブリ２８を中心構成の下に確実に留める。
【００１５】
相補的とは、２つのラダーを並んで互いに取り付けることができるように、第１の継手が第２の継手と係合するように設計されることを意味する。実質的に平行とは、５度以下で平行であることを意味する。実質的に互いに接触することとは、実際に接触している、または５ｍｍ未満だけ離間していることを意味する。
【００１６】
横木は実質的にリンクアセンブリのみにより互いに取り付けられ、これは、横木を取り付けるラダーの操作に重要な他の要素がないことを意味する。引張と圧縮の両方の役割を果たすことができないロープ、リボン、またはテープなどの重要度が低い要素は除外されない。
【図１】
0006462707.tif 000002
【図２】
0006462707.tif 000003
【図３】
0006462707.tif 000004
【図４】
0006462707.tif 000005
【図５】
0006462707.tif 000006
【図６】
0006462707.tif 000007
【図７】
0006462707.tif 000008
【図８】
0006462707.tif 000009
【図９】
0006462707.tif 000010
【図１０】
0006462707.tif 000011
【図１１】
0006462707.tif 000012
【図１２】
0006462707.tif 000013